(57)【要約】【課題】動画等の大容量の情報を記録可能な記録メディアの使用状態を簡便な操作でかつ理解容易に確認できるようにする。【解決手段】NFC機能付映像記録再生装置１は、自身のNFC情報読取り用のアンテナ１１にNFC機能付記録メディア２のアンテナ２１が近づけられたとき、NFC機能付記録メディア２に書き込まれたメディア基本使用情報を近接通信により読み取る。そして、NFC機能付映像記録再生装置１は、このメディア基本使用情報と、自身ファームウエアの機能やモード設定とに基づき、NFC機能付記録メディア２の使用容量自身またはその使用容量に基づく量を演算し、その演算結果を表示パネル１２に表示させる。本発明は、動画データを記録メディアに記録する記録装置等に適用可能である。【選択図】図１
2008052768.tif 000002
【特許請求の範囲】
【請求項１】
メディアに関する情報の表示を制御する情報処理装置において、
前記メディアの使用容量を含む前記メディアの使用状態を示す第１の情報を、前記メディアとの近接通信により取得する取得手段と、
前記取得手段により取得された前記第１の情報、および、前記情報処理装置自身による所定のアプリケーションフォーマットを使用した処理に関する第２の情報を用いて、前記所定のアプリケーションフォーマットの特徴に応じた前記使用容量に基づく量を演算する演算手段と、
前記演算手段により演算された前記使用容量に基づく量の表示を制御する表示制御手段と
を備える情報処理装置。
【請求項２】
前記演算手段は、さらに、前記第１の情報と前記第２の情報とに基づいて、前記所定のアプリケーションフォーマットの処理に前記メディアが使用可能な状態か否かの可否情報を生成し、
前記表示制御手段は、さらに、前記演算手段により生成された前記可否情報の表示を制御する
請求項１に記載の情報処理装置。
【請求項３】
前記所定のアプリケーションフォーマットは、動画像記録用のアプリケーションフォーマットであり、
前記演算手段により演算される前記使用量に基づく量は、前記所定のアプリケーションフォーマットに従って前記メディアの残量の全てに前記動画像が記録されるときの記録可能時間である
請求項１に記載の情報処理装置。
【請求項４】
前記所定のアプリケーションフォーマットは、動画像再生用のアプリケーションフォーマットであり、
前記演算手段により演算される前記使用量に基づく量は、前記所定のアプリケーションフォーマットに従った前記動画像の記録に前記使用量の全てが消費されている場合における、前記所定のアプリケーションフォーマットに従って前記メディアから前記動画像の全てが再生されるときの再生時間である
請求項３に記載の情報処理装置。
【請求項５】
前記所定のアプリケーションフォーマットは、静止画像記録用のアプリケーションフォーマットであり、
前記演算手段により演算される前記使用量に基づく量は、前記所定のアプリケーションフォーマットに従って前記メディアの残量の全てに前記静止画像が記録されるときの記録可能枚数である
請求項３に記載の情報処理装置。
【請求項６】
前記所定のアプリケーションフォーマットは、静止画像再生用のアプリケーションフォーマットであり、
前記演算手段により演算される前記使用量に基づく量は、前記所定のアプリケーションフォーマットに従った前記静止画像の記録に前記使用量の全てが消費されている場合における、前記メディアに記録されている前記静止画像の枚数である
請求項３に記載の情報処理装置。
【請求項７】
メディアに関する情報の表示を制御する情報処理装置の情報処理方法において、
前記メディアの使用容量を含む前記メディアの使用状態を示す第１の情報を、前記メディアとの近接通信により取得し、
取得された前記第１の情報、および、前記情報処理装置自身による所定のアプリケーションフォーマットを使用した処理に関する第２の情報を用いて、前記所定のアプリケーションフォーマットの特徴に応じた前記使用容量に基づく量を演算し、
演算された前記使用容量に基づく量の表示を制御する
ステップを含む情報処理方法。
【請求項８】
メディアに関する情報を表示する表示装置を制御するコンピュータが実行するプログラムであって、
前記メディアの使用容量を含む前記メディアの使用状態を示す情報を、前記表示装置と前記メディアとの間の近接通信により前記表示装置に取得させることを制御し、
前記表示装置に取得された前記第１の情報、および、前記表示装置による所定のアプリケーションフォーマットを使用した処理に関する第２の情報を用いて、前記所定のアプリケーションフォーマットの特徴に応じた前記使用容量に基づく量を演算し、
演算された前記使用容量に基づく量を前記表示装置に表示させることを制御する
ステップを含むプログラム。
【発明の詳細な説明】
【技術分野】
【０００１】
本発明は、情報処理装置および方法並びにプログラムに関し、特に、動画等の大容量の情報を記録可能な記録メディアの使用状態を簡便な操作でかつ理解容易に確認できるようになった情報処理装置および方法並びにプログラムに関する。
【背景技術】
【０００２】
従来、動画等の大容量の情報を記録する記録メディアとして、ディスクやメモリが使用されることが多い。
【０００３】
また、現状、非接触ICメディアという記録メディアも登場してきた（特許文献１，２参照）。ここに、非接触ICメディアとは、例えば、ISO（International Organization for Standardization）のIEC（International Electro technical commission） JTC1（Joint Technical Committee 1）／SC（Sub-Committee）１７において国際標準化ないし国際標準化審議がなされているコンタクトレスICカード（Contact less IC Card）の仕様をベースにしたコアモジュール、つまり非接触ICモジュールを搭載した媒体全般をいう。非接触ICメディアの特徴は、リーダに近づけると電磁誘導を用いた近接非接触通信（以下、近接通信と称する）を行えるという特徴があり、少量のデータ情報で済む用途に使用されている。
【特許文献１】特開2002-325122号公報
【特許文献２】特開2004-215225号公報
【発明の開示】
【発明が解決しようとする課題】
【０００４】
しかしながら、ディスクやメモリでは、ハブに巻き取られたカセットテープ窓のようにメディア外観からその使用状態（使用量等）を確認できない。従って、ユーザは、ディスクやメモリの使用状態を確認したい場合、そのディスクやメモリを再生機器等に一旦装着させた後に読取りさせる、といった煩雑な操作が必要であった。さらに、かかる操作に対する再生機器等の処理としては、装着確認、読取り、解析という時間のかかる処理が必要になる。従って、ユーザにとっては、使用状態等の必要な情報を簡便な操作でかつ理解容易に確認することは困難であった。
【０００５】
一方、非接触ＩＣメディア自身は、上述したように、小容量データの受け渡し用途として構成されており、動画等の大容量の情報そのものを受け渡しする用途として構成されていない。
【０００６】
即ち、動画等の大容量の情報を記録可能な記録メディアの使用状態を簡便な操作でかつ理解容易に確認したいという要望が存在するが、かかる要望に十分に応えられていない状況である。
【０００７】
本発明は、このような状況に鑑みてなされたものであり、動画等の大容量の情報を記録可能な記録メディアの使用状態を簡便な操作でかつ理解容易に確認できるようにするものである。
【課題を解決するための手段】
【０００８】
本発明の一側面の情報処理装置は、メディアに関する情報の表示を制御する情報処理装置であって、前記メディアの使用容量を含む前記メディアの使用状態を示す第１の情報を、前記メディアとの近接通信により取得する取得手段と、前記取得手段により取得された前記第１の情報、および、前記情報処理装置自身による所定のアプリケーションフォーマットを使用した処理に関する第２の情報を用いて、前記所定のアプリケーションフォーマットの特徴に応じた前記使用容量に基づく量を演算する演算手段と、前記演算手段により演算された前記使用容量に基づく量の表示を制御する表示制御手段とを備える。
【０００９】
前記演算手段は、さらに、前記第１の情報と前記第２の情報とに基づいて、前記所定のアプリケーションフォーマットの処理に前記メディアが使用可能な状態か否かの可否情報を生成し、前記表示制御手段は、さらに、前記演算手段により生成された前記可否情報の表示を制御する。
【００１０】
前記所定のアプリケーションフォーマットは、動画像記録用のアプリケーションフォーマットであり、前記演算手段により演算される前記使用量に基づく量は、前記所定のアプリケーションフォーマットに従って前記メディアの残量の全てに前記動画像が記録されるときの記録可能時間である。
【００１１】
前記所定のアプリケーションフォーマットは、動画像再生用のアプリケーションフォーマットであり、前記演算手段により演算される前記使用量に基づく量は、前記所定のアプリケーションフォーマットに従った前記動画像の記録に前記使用量の全てが消費されている場合における、前記所定のアプリケーションフォーマットに従って前記メディアから前記動画像の全てが再生されるときの再生時間である。
【００１２】
前記所定のアプリケーションフォーマットは、静止画像記録用のアプリケーションフォーマットであり、前記演算手段により演算される前記使用量に基づく量は、前記所定のアプリケーションフォーマットに従って前記メディアの残量の全てに前記静止画像が記録されるときの記録可能枚数である。
【００１３】
前記所定のアプリケーションフォーマットは、静止画像再生用のアプリケーションフォーマットであり、前記演算手段により演算される前記使用量に基づく量は、前記所定のアプリケーションフォーマットに従った前記静止画像の記録に前記使用量の全てが消費されている場合における、前記メディアに記録されている前記静止画像の枚数である。
【００１４】
本発明の一側面の情報処理方法は、メディアに関する情報の表示を制御する情報処理装置の情報処理方法であって、前記メディアの使用容量を含む前記メディアの使用状態を示す第１の情報を、前記メディアとの近接通信により取得し、取得された前記第１の情報、および、前記情報処理装置自身による所定のアプリケーションフォーマットを使用した処理に関する第２の情報を用いて、前記所定のアプリケーションフォーマットの特徴に応じた前記使用容量に基づく量を演算し、演算された前記使用容量に基づく量の表示を制御する。
【００１５】
本発明の一側面のプログラムは、上述した本発明の一側面の情報処理方法に対応するプログラムである。
【００１６】
本発明の一側面の情報処理装置および方法並びにプログラムにおいては、メディアに関する情報の表示を制御する情報処理装置等において、前記メディアの使用容量を含む前記メディアの使用状態を示す第１の情報が前記メディアとの近接通信により取得され、取得された前記第１の情報、および、前記情報処理装置等による所定のアプリケーションフォーマットを使用した処理に関する第２の情報を用いて、前記所定のアプリケーションフォーマットの特徴に応じた前記使用容量に基づく量が演算され、演算された前記使用容量に基づく量の表示が制御される。
【発明の効果】
【００１７】
以上のごとく、本発明の一側面によれば、ユーザは、メディアに関する情報を情報処理装置側で確認できる。特に、動画等の大容量の情報を記録可能なメディアの使用状態を簡便な操作でかつ理解容易に確認できる。
【発明を実施するための最良の形態】
【００１８】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００１９】
本発明の一側面の情報処理装置（例えば図１や図７等のNFC機能付映像記録再生装置１）は、
メディア（例えば図１や図７等のNFC機能付記録メディア２）に関する情報の表示を制御する情報処理装置であって、
前記メディアの使用容量を含む前記メディアの使用状態を示す第１の情報（例えば図７や図８のNFC用FS情報１７１や、図７や図９のNFC用アプリ情報１７２）を、前記メディアとの近接通信により取得する取得手段（例えば図７のNFC情報読み書き制御部３１のNFC用情報生成／取得部１８４）と、
前記取得手段により取得された前記第１の情報、および、前記情報処理装置自身による所定のアプリケーションフォーマットを使用した処理に関する第２の情報（例えば図１０のセット側の情報や、図１１のデータ転送レート等）を用いて、前記所定のアプリケーションフォーマットの特徴に応じた前記使用容量に基づく量（例えば図１０の結果表示情報のうちの、記録残時間や記録残枚数等）を演算する演算手段（例えば図７の映像記録再生制御部３２のFS残量計算部１８１乃至残量表示制御部１８３）と、
前記演算手段により演算された前記使用容量に基づく量の表示を制御する（例えば図２等の画像の表示を制御する）表示制御手段（例えば図１や図７の表示パネル１２の表示を制御する図７のパネル表示制御部１８５）と
を備える。
【００２０】
前記演算手段は、さらに、前記第１の情報と前記第２の情報とに基づいて、前記メディアを前記所定のアプリケーションフォーマットの処理に使用可能な状態か否かの可否情報（例えば図１０の結果表示情報のうちの、動画HD対応、動画SD対応、静止画専用、再生可否、記録可否等）を生成し、
前記表示制御手段は、さらに、前記演算手段により生成された前記可否情報の表示を制御する。
【００２１】
本発明の一側面の情報処理方法（例えば図１３の処理）は、
メディア（例えば図１や図７等のNFC機能付記録メディア２）に関する情報の表示を制御する情報処理装置（例えば図１や図７等のNFC機能付映像記録再生装置１）の情報処理方法において、
前記メディアの使用容量を含む前記メディアの使用状態を示す第１の情報を、前記メディアとの近接通信により取得し（例えば図１３のステップＳ２の処理を実行し）、
取得された前記第１の情報、および、前記情報処理装置自身による所定のアプリケーションフォーマットを使用した処理に関する第２の情報を用いて、前記所定のアプリケーションフォーマットの特徴に応じた前記使用容量に基づく量を演算し（例えば図１３のステップＳ６の処理を実行し）、
演算された前記使用容量に基づく量の表示を制御する（例えば図１３のステップＳ７の処理を実行する）
ステップを含む。
【００２２】
本発明の一側面のプログラムは、例えば上述した本発明の一側面の情報処理方法のステップを含むプログラムであって、例えば図２０のパーソナルコンピュータにより実行される。
【００２３】
次に、図面を参照して、本発明の実施の形態について説明する。
【００２４】
図１は、本発明が適用される情報処理システムの一実施の形態である映像記録再生システムの外観構成例を示している。
【００２５】
図１の例では、映像記録再生システムは、NFC機能を有する映像記録再生装置１と、NFC機能を有する非接触ICメディアを内蔵した記録メディア２とから構成されている。以下、映像記録再生装置１を特にNFC機能付映像記録再生装置１と称し、記録メディア２をNFC機能付記録メディア２と称する。
【００２６】
ここに、NFC機能とは、同機能を有する他の装置との間で、単一の周波数の搬送波を使用した、電磁誘導による近接通信、即ちNFC(Near Field Communication)を行うことができる機能をいう。この場合の各装置が使用する搬送波の周波数としては、例えば、ISM(Industrial ScientI/Fic Medical)バンドの13.56MHzなどを採用することができる。
【００２７】
また、近接通信とは、通信する装置どうしの距離が、数10cm以内となって可能となる通信を意味し、通信する装置どうし（の筐体）が接触して行う通信も含まれる。
【００２８】
NFC機能付映像記録再生装置１は、自身のNFC情報読み取り用のアンテナ１１にNFC機能付記録メディア２のアンテナ２１が近づけられたとき、NFC機能付記録メディア２に書き込まれたメディア基本使用情報を近接通信により読み取る。そして、NFC機能付映像記録再生装置１は、このメディア基本使用情報と、自身ファームウエアの機能やモード設定等の自身内部の情報とを用いて、NFC機能付記録メディア２の使用容量自身またはその使用容量に基づく量を演算し、その演算結果を表示パネル１２に表示させる。
【００２９】
ここに、メディア基本使用情報とは、メディア（ここではNFC機能付記録メディア２）の使用状態を示す情報の１以上の集合体をいう。１つの使用状態を示す情報は、使用容量またはその使用容量に基づく量の演算に直接的または間接的に使用される。詳細については後述するが、例えば本実施の形態では、ファイルシステムの使用状態を示す情報としてのNFC用FS情報１７１（図８参照）や、アプリケーションフォーマットの使用状態を示す情報としてのNFC用アプリ情報１７２（図９参照）が、メディア基本使用情報に含まれている。ここに、使用状態を示す情報とは、映像記録再生装置（ここではNFC機能付映像記録再生装置１）側でメディアの使用容量またはその使用容量に基づく量（例えば後述する残量等）を計算するのに必要で使用される数値データ情報をいう。具体的には例えば本実施の形態では、NFC用FS情報１７１のうちの「使用容量」等の１項目の情報（図８参照）が、使用状態を示す情報の一例である。
【００３０】
また、「自身ファームウエアの機能やモード設定等の自身内部の情報」としては、例えば次のような情報が使用される。
【００３１】
即ち、詳細については後述するが、例えば、NFC機能付映像記録再生装置１側で行われるファイルシステムについての残量計算は、メディア基本使用情報の一例であるファイルシステム（以下、適宜ＦＳと略記する）情報に基づいて計算される。
【００３２】
そして、そのファイルシステムについての残量計算の結果や、次のような「自身ファームウエアの機能やモード設定等の自身内部の情報」等が利用されて、アプリケーションフォーマットについての残量計算がNFC機能付映像記録再生装置１側で行われる。即ち、NFC機能付映像記録再生装置１内では、記録解像度アプリケーションフォーマット方式（以下、適宜アプリケーションフォーマットと称する）として、ＨＤ或いはＳＤ或いはモバイル対応方式の映像圧縮用のビデオ規格の画像解像度選択がなされている。そして、それぞれのアプリケーション方式での画質モードである記録レートとして、ＸＰ、ＨＱ＋、ＨＱ、ＳＰ、ＬＰの選択がなされ、ＳＤ方式ではさらにワイドアスペクトと標準４：３アスペクトの選択がなされている。即ち、各アプリケーションフォーマット方式、画質モード、必要な場合にはアスペクト選択がそれぞれなされている。そこで、それらのうちの何れか１つ以上への対応を備えた選択設定が、上述した「自身ファームウエアの機能やモード設定等の自身内部の情報」の一例として、メディア基本使用情報と共に用いられて、アプリケーションフォーマットについての残量計算が行われる。
【００３３】
なお、映像だけでなく音声もメディアに記録可能であることを考慮すると、本発明が適用される情報処理装置は、映像記録再生装置のみならず、音声圧縮用のオーディオＭＰＥＧ規格の複数圧縮方式とその記録レート選択であるモード選択設定を備えた映像音声記録再生装置をも適用可能である。この場合、かかるモード選択設定の情報も、「自身ファームウエアの機能やモード設定等の自身内部の情報」として採用可能である。
【００３４】
また、使用容量自身の表示については、その表示形態は特に限定されない。即ち、例えば、使用容量を示す単位（例えばバイト等）を用いた絶対表示をしてもよいし、トータル容量に対する比率（例えば％）を用いた相対表示をしてもよい。
【００３５】
また、使用容量に基づく量とは、所定の単位で表現された使用容量に基づいて、所定の規則に従って演算された結果得られる量をいう。
【００３６】
例えば、第１の単位（例えばセクタ）で表現された使用容量が第２の単位（例えば％）に換算された場合、その第２の単位の使用容量が、使用容量に基づく量の一例である。
【００３７】
また例えば、かかる第１または第２の単位の使用容量が、NFC機能付映像記録再生装置１の所定のアプリケーションフォーマットで使用される第３の単位（例えば、動画でいう再生/記録時間や、静止画でいう再生／記録枚数等の単位）で換算された量（例えば、動画でいう全再生時間や、静止画でいう全記録枚数）が、使用容量に基づく量の一例である。換言すると、この例は、所定のアプリケーションフォーマットの特徴に応じた使用容量に基づく量の一例であるともいえる。
【００３８】
具体的には例えば、動画再生用のアプリケーションフォーマットでは、使用容量に基づく量として、その動画再生用のアプリケーションフォーマットに従った動画像の記録に使用容量の全てが消費されている場合における、その動画再生用のアプリケーションフォーマットに従ってNFC機能付記録メディア２から動画像の全てが再生されるときの再生時間、即ち、全再生時間を、使用容量に基づく量として採用することができる。
【００３９】
また例えば、静止画再生用のアプリケーションフォーマットでは、使用容量に基づく量として、その静止画再生用のアプリケーションフォーマットに従った静止画像の記録に使用容量の全てが消費されている場合における、NFC機能付記録メディア２に記録されているその静止画像の枚数、即ち、全記録枚数を、使用容量に基づく量として採用することができる。
【００４０】
さらに例えば、第１の単位または第２の単位のトータル容量と使用容量とから、NFC機能付記録メディア２の残容量が演算された場合、その第１の単位または第２の単位残容量も、使用容量に基づく量の一例である。
【００４１】
また例えば、かかる第１または第２の単位の残容量が、NFC機能付映像記録再生装置１の所定のアプリケーションフォーマットで使用される第３の単位（例えば、動画でいう再生/記録時間や、静止画でいう再生／記録枚数等の単位）で換算された量（例えば、動画でいう記録残時間や、静止画でいう記録枚残数）が、使用容量に基づく量の一例である。換言すると、この例は、所定のアプリケーションフォーマットの特徴に応じた使用容量に基づく量の一例であるともいえる。
【００４２】
具体的には例えば、動画記録用のアプリケーションフォーマットでは、使用容量に基づく量として、その動画記録用のアプリケーションフォーマットに従ってNFC機能付記録メディア２の残容量の全てに動画像が記録されるときの記録可能時間、即ち、記録残時間を、使用容量に基づく量として採用することができる。
【００４３】
また例えば、静止画記録用のアプリケーションフォーマットでは、使用容量に基づく量として、その静止画記録用のアプリケーションフォーマットに従ってNFC機能付記録メディア２の残容量の全てに静止画像が記録されるときの記録可能枚数、即ち、記録残枚数を、使用容量に基づく量として採用することができる。
【００４４】
換言すると、例えば、上述したように、各映像圧縮用のアプリケーションフォーマット方式の選択、あるいは画質モード選択、あるいは画面アスペクト選択の結果、ユーザが使用を予定している映像記録設定で使える見込みの残容量での平均的または最大平均的な記録時間量が、使用容量に基づく量として採用可能である。
【００４５】
ここに、平均的または最大平均的な記録時間量とは、圧縮映像記録再生装置（ここではNFC機能付映像記録再生装置１）側の設計仕様に存在する量である。かかる設計仕様としては、被写体内容によって変わるもので、通常の家庭内や自然風景の細かさと動きの映像を平均的な操作で映像記録する使い方での平均的な記録残量時間を表示する設計仕様でもよく、或いは、通常のスポーツや特殊作業環境で使用するユーザの使用状況下で予測されるかなり細かい映像で動きの激しい被写体映像を短く何度も記録停止を繰り返す使われ方での最大平均的な記録時間量を表示する設計仕様でもよい。
【００４６】
なぜなら、表示する残使用時間を計算するのは、リムーバブルメディアのNFC記憶部（ここでは後述する図４等のNFC情報記憶部３３）からメディア基本情報を取得して計算する情報処理装置（ここではNFC機能付映像記録再生装置１）側であって、かかる情報処理装置は、ファイルシステムとアプリケーションフォーマット方式の互換性を保ちながら今後に設計され製造販売されていくことから、その情報処理装置の仕様設計方針に基づくからである。
【００４７】
このようなNFC機能付記録メディア２の使用容量やその使用容量に基づく量は、図２や図３に示されるように、NFC機能付映像記録再生装置１の表示パネル１２に表示される。
【００４８】
図２の例では、NFC機能付記録メディア２の使用容量が％で表示される表示バー１２−１と、各アプリケーションフォーマットの特徴に応じた使用容量に基づく量が表示されるテーブル１２−２とが、表示パネル１２に表示されている。
【００４９】
即ち、表示バー１２−１において、１００％が、NFC機能付記録メディア２のトータル容量を示し、灰色部分がその使用容量を示している。即ち、図１２の例では、使用容量は６５％前後であることが容易に確認できる。
【００５０】
テーブル１２−２において、１列目の「記録アプリ」の項目には、NFC機能付映像記録再生装置１が有する映像記録についてのアプリケーションフォーマットの種類が表示されている。「ＨＤ」とは、ＨＤ（High Definition）動画像記録用のアプリケーションフォーマットを意味している。「ＳＤ」とは、ＳＤ（Standard Definition）動画像記録用のアプリケーションフォーマットを意味している。「ＤＳＣ」とは、静止画像記録用のアプリケーションフォーマットを意味している。
【００５１】
具体的には例えば、「ＨＤ」としては、Ｈ．２６４／ＡＶＣフォーマット方式を採用できる。この場合、記録モードとしては、Ｄｉｒｅｃｔ／ＰＳＰとが存在する。ここに、Ｄｉｒｅｃｔとは、デジタル放送のＴＳストリーム最大２４Ｍｂｐｓに互換な記録ストリームをそのまま記録する記録モードをいい、ＰＳＰはＰＳＰ再生互換なＨＤストリームにエンコードして記録する記録モードをいう。ただし、本実施の形態では、「ＨＤ」の記録モードも、次に述べる「ＳＤ」と同様の記録モードが採用されているとする。
【００５２】
「ＳＤ」としては、標準ＴＶ方式記録の方式を採用でき、具体的にはプログラムストリームによる方式を採用できる。記録モードとしては、最大ビットレートは１５Ｍｂｐｓであるが、ＤＶＤ準拠のプログラムストリームの上限は１０．０８Ｍｂｐｓと定まっている。その記録モードはＨＱ／ＳＰ／ＬＰ／ＥＰ／ＬＬＰなどがセット（ここではNFC機能付映像記録再生装置１）側で用意される。ここでＤＶＤ−ＶＦ互換という、管理情報ファイル以外のレート上限とオーディオ規格、ＭＰＥＧ２−ＰＳシステムストリーム自体の構成をＤＶＤレコーダーに互換な構成で記録する記録モードを持つこともある。
【００５３】
「ＤＣＦ」としては、デジタルカメラで撮影された画像はＪＰＥＧ圧縮で記録され、Ｅｘｉｆによってさらに日付や撮影場所など撮影情報の付加情報として加えられ、ＤＣＦ画像ファイルとして保存されるＤＣＦ静止画記録方式を採用できる。現在のデジタル静止画撮影カメラはほとんどがＤＣＦ対応となっている。
【００５４】
ＤＣＦ（Design rule for Camera File system）はデジタルカメラの標準的な画像ファイルとしてＪＥＩＴＡ：電子情報技術産業協会によって決められている。そしてＥｘｉｆ（Exchangeable Image File Format）の仕様はこのＤＣＦによって決められており、Ｅｘｉｆ対応ＪＰＥＧがＤＣＦである。
【００５５】
静止画ＤＳＣのアプリケーションフォーマットにおいては、機器側が自分の撮影仕様で撮影画像サイズを設定することにしている。例えば搭載カメラ静止画解像度によって、４Ｍ（メガ、以下同じ）、３Ｍワイドアスペクト、１．９Ｍ、ＶＧＡ（０．３Ｍ）、さらにはＣＭＯＳ撮像素子の場合に動画映像と同時撮影可能な静止画サイズとして、例えば２．３Ｍワイドアスペクト静止画があり、４：３動画映像と同時撮影可能な静止画サイズとして１．７Ｍ静止画（４：３標準アスペクト）が仕様として存在する。
【００５６】
また、静止画のプリントアウト用途としてＤＰＯＦ（Digital Print Order Format）ファイルがある。撮影した静止画画像を、プリントサービスや家庭のプリンタで自動的にプリントするための情報記録ファイルである。画像を記録すると、画像のサイズ、タイトル、トリミング設定、機器情報、日付と時刻、ユーザ名前、住所、電話番号などの情報が記録される。
【００５７】
印刷したい画像や枚数、どの情報を一緒に出力するかなどの設定情報を指定でき、その情報がメモリカードに保存され、プリンタにカードをセットするだけで印刷でき、プリントサービスに出す場合も設定済みのカードを渡すだけなので様々な手間を省くことができる規格ファイルである。
このＤＰＯＦファイルも、未登録な初期ファイルサイズは最小限の小さなものであるが、登録操作によって９９９枚まで属性情報が登録追加でき、ＤＰＯＦファイルサイズが増えるので予測使用量が追加される。
【００５８】
２列目の「記録モード」の項目には、各アプリケーションフォーマットで選択可能な記録モードのうちの現在設定されている記録モードが表示される。
【００５９】
この場合、例えば動画像については、ＨＤ、ＳＤの「アプリケーションフォーマット方式」と、それぞれが有するＸＰ、ＨＱ＋、ＨＱ、ＳＰ、ＬＰという映像圧縮率、即ち、記録映像品質をあらわす画質モードである「記録モード」と、また、後述の属性情報となる映像の縦横比サイズである「映像アスペクト」比の選択設定から、圧縮映像音声データのそれぞれ相違する記録目標の平均あるいは最大平均の記録データ転送レートが特定され、そのデータ転送レート等に基づいて演算された結果が、記録使用可能な残量時間（各アプリケーションフォーマットの特徴に応じた使用容量に基づく量）であり、３列目の「記録残時間／残枚数」に表示されることになる。
【００６０】
即ち、３列目の「記録残時間／残枚数」には、各アプリケーションフォーマットの特徴に応じた使用容量に基づく量が表示される。即ち、「ＨＤ」と「ＳＤ」については、記録残時間が、「dd:hh:mm:ss」という形態で表示される。ここに、「dd」とは「日」を示す２桁の数値を意味し、「hh」とは「時間」を示す２桁の数値を意味し、「mm」とは「分」を示す２桁の数値を意味し、「ss」とは「秒」を示す２桁の数値を意味している。一方、「ＤＳＣ」については、記録残枚数を示す数値が表示される。
【００６１】
４列目の「属性情報」には、NFC機能付記録メディア２の属性を示す情報、例えば図８を用いて後述するファイルシステムフォーマット属性情報や、図９を用いて後述するアプリケーションフォーマット属性情報等が表示される。より正確に言えば、図８や図９のテーブル情報そのものの属性情報が表示されるのではなく、これらの属性情報に基づいてNFC機能付映像記録再生装置１により生成された情報（具体例については図１０の結果表示情報参照）が表示される。
【００６２】
例えば、図２の例の「ＨＤ」の「属性情報」に表示された「残り２記録」とは、「ＨＤ」で記録可能な残チャプタ数が「２」であることを示している。
【００６３】
さらに、NFC機能付記録メディア２の中には、NFC機能付映像記録再生装置１のアプリケーションフォーマットに対応できないもの、即ち、そのアプリケーションフォーマットによる記録が不可能なものもある。例えば、低ビットレート専用のNFC機能付記録メディア２の場合には、書き込み速度不足により「ＨＤ」に非対応となる。そのような場合、図３の「ＨＤ」についての行１２−３に示されるように、他の行とは異なる表示形態（図３の例では斜線表示の形態）で表示することで、そのアプリケーションフォーマット（図３の例では「ＨＤ」）が非対応であることをユーザに提示することができる。
【００６４】
また、NFC機能付記録メディア２に記録されているコンテンツに追記プロテクト等の保護がかけられている場合、そのコンテンツに対応するアプリケーションフォーマットの行に、保護がかけられていることを示す情報を表示することができる。
【００６５】
具体的には例えば、保護がかけられていることを示す情報として、図３の行１２−４の「属性情報」の項目にロックマークが表示されている。かかるロックマークは、Ｒメディアでファイナライズ済み、あるいはアプリケーションフォーマットで追記禁止処理が施されている状態、そして再生は可能だが記録は不可である状態を意味している。
【００６６】
換言すると、「属性情報」には、各アプリケーションフォーマットの処理にNFC機能付記録メディア２が使用可能な状態か否かを示す情報等が表示される。ここに、各アプリケーションフォーマットの処理に、NFC機能付記録メディア２を使用するとは、例えば「ＨＤ」についてはＨＤ動画の記録メディアとしてNFC機能付記録メディア２を使用することをいう。
【００６７】
また、図では表現しきれないが、行の文字が速い周期で点滅する場合、そのことは、その行に対応するアプリケーションフォーマットの残りチャプタエントリ数を使い果たし、そのアプリケーションフォーマット方式のエントリ数の上限に到達した状態であることをユーザに提示できる。
【００６８】
また、図では表現しきれないが、行の文字が遅い周期で点滅する場合、そのことは、その行に対応するアプリケーションフォーマッットについて、記録残時間または記録残枚数が残りわずかな状態か、あるいは、そのアプリケーションフォーマットの残チャプタエントリ数が残り少ない状態かのいずれかの状態であることをユーザに提示できる。
【００６９】
図４は、図１の映像記録再生システムの各装置の内部の構成例の概略を示している。
【００７０】
NFC機能付映像記録再生装置１の内部には、NFC情報読み書き制御部３１と映像記録再生制御部３２とが設けられている。NFC情報読み書き制御部３１には、図１にも示されているアンテナ１１と、NFC R/Wシステム４１とが設けられている。また、映像記録再生制御部３２には、User I/F部４２と映像データＲ／Ｗ部４３とが設けられている。
【００７１】
なお、NFC機能付映像記録再生装置１の内部の詳細については、図６を参照して後述する。
【００７２】
また、NFC機能付記録メディア２の内部には、非接触ICメディア等で構成されるNFC情報記憶部３３と、メモリドライブ部３４とが設けられている。NFC情報記憶部３３には、図１にも示されているアンテナ２１とNFCシステム４４とが設けられている。メモリドライブ部３４には、不揮発性メモリ４６（以下、NVRAM（Non Volatile RAM）４６と称する）と、読み書き高速化を図るためのCashメモリ４５（以下、Cash４５と略称する）とが設けられている。
【００７３】
NFC情報読書き制御部３１とNFC情報記憶部３３とが、上述した使用量または使用量に基づく量の計算に用いる情報、即ちメディア基本使用情報を近接通信により授受する。
【００７４】
また、後述するように、NFC機能付記録メディア２がNFC機能付映像記録再生装置１に装着された状態で、映像記録再生制御部３２は、動画像や静止画像のデータをメモリドライブ部３４に記録する制御を行ったり、メモリドライブ部３４に記録されている動画像や静止画像のデータを再生する制御を行う。
【００７５】
図５は、NFC機能付記録メディア２の内部の詳細な構成例を示している。
【００７６】
NFCシステム４４は、送受信回路５１、制御部５２、およびメモリ５３から構成されている。制御部５２は、メモリ５３に情報データを保存し、また情報データをメモリ５３から読み出す。そして、制御部５２は、アンテナ２１から受けた電磁波が変換された電力およびクロックを送受信回路５１から受けて、送受信回路５１との間でデータＩＮ、データＯＵＴの情報データの授受を行う。
【００７７】
即ち、NFC機能付映像記録再生装置１のNFC情報読み書き制御部３１（図４）から電磁波として送信されてきた情報データは、アンテナ２１、送受信回路５１、および制御部５２を介してメモリ５３に記憶される。また、メモリ５３に記憶されている情報データは、制御部５２、送受信回路５１、およびアンテナ２１を介して、NFC機能付映像記録再生装置１のNFC情報読み書き制御部３１（図４）に電磁波として送信される。
【００７８】
なお、メモリ５３に記憶される情報データとは、主に上述したメディア基本使用情報であって、例えば後述する図７のNFC用FS情報１７１やNFC用アプリ情報１７２である。ただし、かかるメディア基本使用情報の具体例については、図８と図９を参照して後述する。
【００７９】
メモリドライブ部３４は、通常のドライブとしてドライブデータが読み書きされる。このため、上述したCash４５、NVRAM４６に加えて、CIS Info５４、HostI/F５５、MEMCntl５６、および、Ch-ECC Enc/Dec５７が、メモリドライブ部３４に設けられている。
【００８０】
即ち、メモリドライブ部３４には、高速のCash４５がつけられており、NVRAM４６はバンク構成をとっている。NVRAM４６としてのフラッシュメモリは、たとえナノクリスタルで結晶化させて低電圧高密度化させても高々数Mbpsの速度しか得られないので、これらを並列にならべて順次並列アクセスしてゆくことで高速なデータ入出力レートを得る。このときに並列処理を行うために、マルチウエイキャッシュメモリとしてのCash４５が使用され、その並列処理の制御のためにCh-ECC Enc/Dec５７も設けられている。かかるCash４５をコントロールするメモリコントロールとしてMEMCntl５６が設けられており、ドライブに読み書きするためのホスト（本実施の形態では図４等のNFC機能付映像記録再生装置１）と接続するHostI/F５５が設けられている。そして、起動時に内部構成情報を起動時のプロトコル通信でホストに通知するカード属性情報部としてのCIS(Card Information Structure) Info５４が設けられており、これにより、内部構成種別を知らせることが可能になる。
【００８１】
図６は、NFC機能付映像記録再生装置１の内部の詳細な構成例を示している。
【００８２】
図６の例でいうUser I/F制御部１１１乃至ドライブ制御部１２０が、図４の例でいう映像記録再生制御部３２にほぼ相当する。
【００８３】
User I/F制御部１１１は、ユーザにより操作される操作装置１０１からの入力を受け付けるユーザインタフェースを制御する。操作装置１０１は、例えばリモートコントローラや、NFC機能付映像記録再生装置１に内蔵される表示パネル１２を利用したタッチパネル装置等により構成される。
【００８４】
システム制御部１１２は、静止画アプリケーションフォーマット制御部１３１乃至メモリカード／ドライブ制御部１３５を含むように構成されている。
【００８５】
静止画アプリケーションフォーマット制御部１３１は、圧縮された静止画データを、静止画のアプリケーションフォーマット、即ち上述した図２でいう「ＤＳＣ」、具体的には例えば、JPRG（Joint Graphics Experts Group）、JFIF（Jpeg File Interchange Format）、EXIF（Exchangeable Image file Format）、TIFF（Tag Image File Format）等に変換するためのファイルヘッダ等の管理情報を生成する。
【００８６】
動画SD Movieアプリケーションフォーマット制御部１３２は、圧縮されたＳＤ動画像を、動画像のアプリケーションフォーマット、即ち上述した図２でいう「ＳＤ」、具体的には例えば、ＭＰＥＧ等に構成するためのシステムストリーム管理情報を生成する。
【００８７】
動画HD Movieアプリケーションフォーマット制御部１３３は、圧縮されたＨＤ動画像を、ＨＤ動画像のアプリケーションフォーマット、即ち上述した図２でいう「ＨＤ」、具体的には例えば、Ｈ２４６／ＡＶＣ等のＨＤアプリケーションフォーマットに構成するシステムストリーム管理情報を生成する。
【００８８】
FATファイルシステム制御部１３４は、FAT（File Allocation Table）ファイル形式での映像音声データの記録再生を制御する。
【００８９】
メモリカード／ドライブ制御部１３５は、例えばNFC機能付記録メディア２に対して、そのドライブデータ転送プロトコルに従い、ドライブ内部のドライブメディア使用空き部分に書込み、指定された書込み済みファイルの読出し、といったメディア記録再生開始を指示する。
【００９０】
PC入出力I/F１１３は、パーソナルコンピュータ１０２との間で情報の入出力を受け付けるユーザインタフェースである。
【００９１】
映像音声入出力I/F１１４は、外部機器との間で映像音声データの入出力を行う。外部機器としては、図６の例では、カメラやマイク等で構成される映像音声出力装置１０３が映像音声入出力I/F１１４に接続されている。その他、映像音声入出力I/F１１４から出力される音声データに対応する音声を出力するスピーカや、映像音声入出力I/F１１４から出力される映像データに対応する映像を表示するモニタ等も、外部機器として映像音声入出力I/F１１４に接続し得る。
【００９２】
また、映像音声入出力I/F１１４から出力された映像は、図１にも示されている表示パネル１２に表示される。
【００９３】
静止画圧縮伸張部１１５は、静止画のアプリケーションフォーマット、即ち上述した図２でいう「ＤＳＣ」に従って、映像音声入出力I/F１１４から提供された静止画データを圧縮して、その結果得られる圧縮静止画データをデータ制御部１１９に提供する。その際、時刻データ部１１８からは、いわゆる静止画アプリ時刻が提供される。また、静止画圧縮伸張部１１５は、データ制御部１１９から提供された圧縮静止画データを伸張して、その結果得られる静止画データを映像音声入出力I/F１１４に提供する。
【００９４】
動画SD Movie圧縮伸張部１１６は、ＳＤ動画のアプリケーションフォーマット、即ち上述した図２でいう「ＳＤ」に従って、映像音声入出力I/F１１４から提供された動画データを圧縮して、その結果得られる圧縮動画データをデータ制御部１１９に提供する。その際、時刻データ部１１８からは、いわゆる動画アプリ時刻が提供される。また、動画SD Movie圧縮伸張部１１６は、データ制御部１１９から提供された圧縮動画データを伸張して、その結果得られる動画データを映像音声入出力I/F１１４に提供する。
【００９５】
動画HD Movie圧縮伸張部１１７は、ＨＤ動画のアプリケーションフォーマット、即ち上述した図２でいう「ＨＤ」に従って、映像音声入出力I/F１１４から提供された動画データを圧縮して、その結果得られる圧縮動画データをデータ制御部１１９に提供する。その際、時刻データ部１１８からは、いわゆる動画アプリ時刻が提供される。また、動画HD Movie圧縮伸張部１１７は、データ制御部１１９から提供された圧縮動画データを伸張して、その結果得られる動画データを映像音声入出力I/F１１４に提供する。
【００９６】
なお、以下、静止画圧縮伸張部１１５乃至動画HD Movie圧縮伸張部１１７の処理対象となる圧縮前の各データをまとめて映像音声データと称し、圧縮後の各データをまとめて圧縮映像音声データと称する。また、静止画アプリケーションフォーマット制御部１３１乃至動画HD Movieアプリケーションフォーマット制御部１３３により生成される各管理情報をまとめて、映像音声データの管理情報と称する。
【００９７】
データ制御部１１９は、記録時には、静止画圧縮伸張部１１５乃至動画HD Movie圧縮伸張部１１７から提供された圧縮映像音声データと、静止画アプリケーションフォーマット制御部１３１乃至動画HD Movieアプリケーションフォーマット制御部１３３により生成された映像音声データの管理情報とを蓄積し、記録開始に備える。
【００９８】
ドライブ制御部１２０は、記録対象の圧縮映像音声データが、システムストリームとして、静止画圧縮伸張部１１５乃至動画HD Movie圧縮伸張部１１７からSCR時刻情報（時刻データ部１１８から提供される時刻）付の2kバイトの空パケット単位で順次提供されると、それらから、GOP単位で格納されたビデオオブジェクト単位（VOBU）を順次生成し、VOBUが１個ないし複数個集合されたセル（CELL）またはRUV（Recording Unit Video Object）をデータ制御部１１９に蓄積し、CELLまたはRUVをまとめて、NFC機能付記録メディア２等に記録する制御を行っている。
【００９９】
以上まとめると、上述した図４の例でいう映像記録再生制御部３２のUser I/F部４２とは、図６の例では主にUser I/F制御部１１１とシステム制御部１１２の一部により構成されている。また、図４の例でいう映像記録再生制御部３２の映像データＲ／Ｗ４３とは、図６の例では主にシステム制御部１１２乃至ドライブ制御部１２０により構成されている。
【０１００】
グラフィック表示制御部１２１は、例えば、NFC機能付記録メディア２の使用容量や使用容量に基づく量等の使用状態を表示するための画像、例えば上述した図２や図３の例の画像を、映像音声入出力I/F１１４を介して表示パネル１２に表示させる制御を行う。換言すると、グラフィック表示制御部１２１は、後述する図７のパネル表示制御部１８５の少なくとも一部を実現させる機能を有している。
【０１０１】
NFC読み書き制御部３１のNFC R/Wシステム４１は、データ書き込み完了後のNFC機能付記録メディア２がNFC機能付映像記録再生装置１から挿抜される度に、上述したメディア基本使用情報を、アンテナ１１を介する近接通信によってNFC機能付記録メディア２のNFC情報記憶部３３（図５等）に記憶書込みさせる機能、即ち、いわゆるライタ機能を有する。
【０１０２】
また、NFC機能付映像記録再生装置１がNFC読取りモードに入っている状態で、その外部からNFC機能付記録メディア２が近接されるとき、NFC R/Wシステム４１は、いわゆるリーダ機能を発揮し、アンテナ１１から電磁場を出力することによって、NFC機能付記録メディア２のNFC情報記憶部３３（図５）からメディア基本使用情報を近接通信によって取得する。なお、メディア基本使用情報の具体例については、図８や図９を参照して後述する。
【０１０３】
このように、NFC R/Wシステム４１は、いわゆるリーダ／ライタ機能を有しており、かかる機能を実現すべく、図６の例では、I/F１５１乃至メモリ１５６から構成されている。即ち、NFC R/Wシステム４１においては、図５のNFCシステム４４の送受信回路５１、制御部５２、およびメモリ５３のそれぞれに対応する送受信回路１５３、制御部１５２、およびメモリ１５６のそれぞれが設けられている。さらに、NFC R/Wシステム４１はリーダ／ライタ装置の役割を担うため、自身から電力やクロックを供給する必要があるので、電力供給部１５４とクロック供給部１５５とを有している。また、User I/F 制御部１１１と情報のやり取りを行うべく、即ち、図４等でいう映像記録再生制御部３２側と情報のやり取りを行うべく、I/F１５１がNFC R/Wシステム４１に設けられている。
【０１０４】
このようなNFC情報読み書き制御部３１に加えてさらにNFC機能付映像記録再生装置１には、NFC情報読み取り制御部１２２が設けられている。即ち、ユーザが、NFC機能付記録メディア２の使用容量等を表示パネル１２で確認すべく、NFC機能付記録メディア２をNFC機能付映像記録再生装置１に近接させたときに、その近接位置とNFC情報読み書き制御部３１の設置位置との位置関係によっては、メディア基本使用情報の読み取りが失敗する可能性がある。そこで、かかる可能性をできるだけ低減させるために、予備的にリーダ機能のみを有するNFC情報読み取り制御部１２２が設けられているのである。
【０１０５】
即ち、NFC情報読み取り制御部１２２は、NFC情報読み書き制御部３１のアンテナ１１と同様の機能と構成を有するアンテナ１４１と、NFC情報読み書き制御部３１のNFC R/Wシステム４１が有する機能のうちのリーダ機能と同様の機能と構成を少なくとも有するNFC Rシステム１４２とから構成されている。なお、NFC情報読み取り制御部１２２は、このように、予備的に設けられていることを考慮すると、NFC機能付映像記録再生装置１にとっては必須な構成要素ではなく省略できる一方、読み取り失敗の可能性をさらに低減させるために複数設けるようにしてもよい。
【０１０６】
以上の図１乃至図６の構成を有する映像記録再生システムにおいて、NFC機能付映像記録再生装置１は、NFC機能付記録メディア２からメディア基本使用情報を近接通信により取得し、その後、そのメディア基本使用情報に加えて、自身内部の各種情報、例えば、映像音声エンコーダ／デコーダ（図６の例では静止画圧縮伸張部１１５乃至動画HD Movie圧縮伸張部１１７）および、アプリケーションフォーマット方式やその属性、並びにファイルシステム方式やその属性等の各種情報を用いて、NFC機能付記録メディア２の使用容量や使用容量に基づく量を演算し、表示パネル１２に表示させることができる。その他、上述したように、所定のアプリケーションフォーマットの処理にNFC機能付記録メディア２が使用可能な状態か否かの可否情報も適宜生成され、表示パネル１２に適宜表示される。
【０１０７】
即ち、ユーザにとっては、単にNFC機能付記録メディア２をNFC機能付映像記録再生装置１に近接させる、といった簡便な操作（動作）を行うだけで、上述した一連の処理がなされ、NFC機能付記録メディア２の使用容量や使用容量に基づく量が表示パネル１２に表示されるのである。さらに、表示パネル１２には、単なる使用容量のみならず、NFC機能付記録メディア２の使用状態をユーザに容易に理解させるべく、各アプリケーションフォーマットの特徴に応じた使用量に基づく量、擬態的には例えば動画像の記録残時間や静止画像の記録残枚数等も表示される。
【０１０８】
以上の一連の処理を実行するための各機能を示す機能ブロック図が、図７に示されている。
【０１０９】
図７の例では、NFC機能付記録メディア２のNFC情報記憶部３３には、メディア基本使用情報として、NFC用FS情報１７１とNFC用アプリ情報１７２とが記憶されている。なお、NFC用FS情報１７１とNFC用アプリ情報１７２とのそれぞれの具体例については、図８と図９とのそれぞれを参照して後述する。
【０１１０】
映像記録再生制御部３２には、ＦＳ残量計算部１８１、アプリ残量計算部１８２、および残量表示制御部１８３が設けられている。
【０１１１】
ＦＳ残量計算部１８１は、後述するNFC用情報生成／取得部１８４から読み取られたメディア基本使用情報のうちの主にNFC用FS情報１７１を取得する。そして、ＦＳ残量計算部１８１は、そのNFC用FS情報１７１に基づいて、NFC機能付記録メディア２のファイルシステム方式についての使用容量（使用％値）や、ファイルシステムの各属性データ等の各種情報を演算または生成し、残量表示制御部１８３に提供する。また、使用容量（使用％値）の演算に使用された情報（以下、使用容量演算利用情報と称する）は、その使用容量に基づく量の演算にも必要となるので、アプリ残量計算部１８２にも提供される。
【０１１２】
アプリ残量計算部１８２は、後述するNFC用情報生成／取得部１８４から読み取られたメディア基本使用情報のうちの主にNFC用アプリ情報１７２を取得する。そして、アプリ残量計算部１８２は、そのNFC用アプリ情報１７２、ＦＳ残量計算部１８１からの使用容量演算利用情報、およびNFC機能付映像記録再生装置１側のモード設定や対応種別等の内部情報等に基づいて、各アプリケーションフォーマットの特徴に応じた使用容量に基づく量（動画像の記録残時間、静止画像の記録残枚数等）を演算し、また適宜、このNFC機能付映像記録再生装置１でモード選択可能な、各記録再生のアプリケーションフォーマット方式の属性情報等の各種情報を演算し、残量表示制御部１８３に出力する。
【０１１３】
なお、ＦＳ残量計算部１８１やアプリ残量計算部１８２により算出されて残量表示制御部１８３に提供される各種情報をまとめて、以下、結果表示情報と称する。かかる結果表示情報の具体例は、図１０を参照して後述する。
【０１１４】
残量表示制御部１８３は、結果表示情報を含む画像についてのグラフィック表示データを生成し、パネル表示制御部１８５に提供する。即ち、NFC機能付記録メディア２の使用容量やその使用容量に基づく量を含む画像についてのグラフィック表示データ、例えば、上述した図２や図３の例の画像についてのグラフィック表示データが、残量表示制御部１８３により作成されて、パネル表示制御部１８５に提供される。
【０１１５】
パネル表示制御部１８５は、そのグラフィック表示データに対応する画像を表示パネル１２に表示させる。即ち、上述した図２や図３の例等の画像が表示パネル１２に表示される。
【０１１６】
この場合、NFC機能付記録メディア２のNFC情報記憶部３３からNFC用FS情報１７１やNFC用アプリ情報１７２を近接通信により読み出して、ＦＳ残量計算部１８１やアプリ残量計算部１８２に提供する機能ブロックが、NFC用情報生成／取得部１８４である。
【０１１７】
このようにして、映像音声データが記録されているNFC機能付記録メディア２に対して記録や再生を行う前の確認作業として、ユーザは、NFC機能付記録メディア２をNFC機能付映像記録再生装置１に近接させると、NFC機能付映像記録再生装置１は、NFC機能付記録メディア２からメディア基本使用情報を近接通信により読み出し、それから使用容量や使用容量に基づく量等を演算して、その演算結果を表示パネル１２に表示させることができる。ただし、この処理例については、図１３を参照して後述する。
【０１１８】
他方、NFC機能付映像記録再生装置１の映像記録再生制御部３２が映像音声データをNFC機能付記録メディア２のメモリドライブ部３４に記録した後（かかる記録処理を実行する機能ブロックは図示せず）、NFC用情報生成／取得部１８４は、NFC機能付記録メディア２のNFC情報記憶部３３内のNFC用FS情報１７１やNFC用アプリ情報１７２の内容を近接通信により更新する。
【０１１９】
具体的には例えば、一連の撮影に基づく映像音声データの記録処理が完了したら、映像記録再生制御部３２は、NFC機能付記録メディア２のメモリドライブ部３４のトータル容量と使用容量を取得し、さらにファイルシステム属性情報を取得し、NFC用情報生成／取得部１８４に提供する。また、映像記録再生制御部３２は、メモリドライブ部３４のアプリケーションフォーマットの記録信号方式種別、記録データ属性種別を取得し、NFC用情報生成／取得部１８４に提供する。NFC用情報生成／取得部１８４は、これらの情報から、更新用のデータを生成し、その更新用のデータを近接通信することにより、NFC機能付記録メディア２のNFC情報記憶部３３内のNFC用FS情報１７１やNFC用アプリ情報１７２を更新する。なお、かかる処理を実行する機能ブロック例については、図１４を参照して後述する。また、かかる処理例については、図１５を参照して後述する。
【０１２０】
なお、動画撮影時以外の場合、例えばNFC機能付記録メディア２がNFC機能付映像記録再生装置１に装着された際にNFC情報記憶部３３と実際のメモリドライブ部３４の使用状態に不整合があった場合への対応として、NFC機能付映像記録再生装置１は、その不整合確認をして不整合ならば整合を取り直すために、NFC情報記憶部３３の内容を書き換え更新することができる。ただし、かかる処理を実行する機能ブロック例については、図１４を参照して後述する。また、かかる処理例については、図１６を参照して後述する。
【０１２１】
また、NFC機能付記録メディア２のメモリドライブ部３４のフォーマット初期化時には、NFC情報記憶部３３の内容も同時に初期化する必要がある。かかる初期化の処理もNFC機能付映像記録再生装置１は実行できる。ただし、かかる処理を実行する機能ブロック例については、図１４を参照して後述する。また、かかる処理例については、図１７を参照して後述する。
【０１２２】
次に、図８と図９とのそれぞれを参照して、メディア基本使用情報の具体例について説明する。即ち、図８は、メディア基本使用情報のうちのNFC用FS情報１７１の具体例を示している。図９は、メディア基本使用情報のうちのNFC用アプリ情報１７２の具体例を示している。
【０１２３】
図８の例では、NFC用FS情報１７１は、テーブルとして構成されており、「トータル容量」、「使用容量」、および「ストリーム記録時のクラスタサイズ」という数値をセクタ単位で持つとともに、ファイルシステムの属性情報を持つ。
【０１２４】
ファイルシステムの属性情報には、「メディア記録対応スピード」、「メディア種別」、「ＦＳ記録方式」、および「メディア保護情報」が存在する。
【０１２５】
「メディア記録対応スピード」とは、CD(Compact Disc)の転送レートである150kByte/secを１倍速として換算した連続記録データ転送速度をいう。フラッシュメモリカードの中には、容量は十分であるが、ストリーム記録再生に適さないものも、データ記録用途として市場に存在する。かかるフラッシュメモリカードでは、記録しようとする映像ストリームの１．５倍程度の連続転送レートがないと滑らかな記録には問題が発生する可能性がある、とされている。例えば40ｘ倍速であれば6MByte/sec、即ち48Mbpsで、HD動画データの記録には十分その仕様を満たすが、同じストリームの倍速ダビング転送用途では基本レート35Mbpsに対して不足であって、80ｘ倍速の12Byte/sec、96Mbpsが必要である。従って、このようなHD動画データの記録に適さないフラッシュメモリカードが、NFC機能付記録メディア２として採用される可能性があるので、ファイルシステムの属性情報のひとつとして、「メディア記録対応スピード」が設けられている。
【０１２６】
「メディア種別」とは、Rメディア、RWメディア、および、再生専用ROMメディア等の各種のうちの何れの種類であるのかを示す情報である。
【０１２７】
「ＦＳ記録方式種別」とは、FAT各種、NTFS、ET2などの各種ファイルシステム方式のうちの何れの種類であるのかを示す情報である。
【０１２８】
「メディア保護情報」とは、アプリケーションフォーマット以下の、メディア機構が持つ保護設定の有無情報をいう。例えば、メカスライドＳＷ（スイッチ）設定位置を電気的に検出させて書込み不可とする保護方式の保護設定情報、メディアの不可視の所定メディア領域にドライブファームウエアコマンド発行による書込み読出しによって設定と読出しがなされるメディア保護設定情報、ファイルシステム方式を使い、所定の領域を確保してそこに書込み／読出しされるファイルシステムが介在するメディア保護設定情報等が存在する。
【０１２９】
また、図９の例では、NFC用アプリ情報１７２は、テーブルとして構成されており、アプリケーションフォーマットの種別（図９の例では「記録アプリ種別」と記載）毎に、「最終ファイル時刻」、「アプリ最終エントリ数」、「保護情報」といったアプリケーションフォーマット属性情報をそれぞれ持つ。
【０１３０】
図９の例のアプリケーションフォーマットの種別としては、上述した図２の例に対応させて、ＨＤ動画像記録用の「ＨＤ」、ＳＤ動画像記録用の「ＳＤ」、および静止画像記録用の「ＤＳＣ」が設けられている。
【０１３１】
「最終ファイル時刻」とは、各アプリケーションフォーマットでの最終ファイルの記録時刻が、タイムゾーンの時刻、即ち、標準時刻GMT(Greenwich Mean Time)に対して、そのタイムゾーンにおける時差（ZONE）を加算した時刻で表された情報をいう。具体的には、この情報は、年を示す２桁の値(yy)、月を示す２桁の値(mm)、日を示す２桁の値(dd)、分を示す２桁の値(mm)、秒を示す２桁の値(ss)により表される。
【０１３２】
「アプリ最終エントリ数」とは、各アプリケーションフォーマットでの最終チャプタ等の最終エントリ数をいい、数値により表される。
【０１３３】
「保護情報」とは、各アプリケーションフォーマットの、各モードでのアプリケーションプロテクト有無情報をいい、その種別と有無により表される。
【０１３４】
その他、図９には図示はしないが、ビデオ信号方式種別とオーディオ信号方式種別（これは例えばPSP対応信号方式、i-Pod対応信号方式、DVD-VF方式という形式に置き換え可能である）や、保護状態（たとえばフリー状態／クローズド処理状態／アプリケーションプロテクト状態／要整合処理不正状態を取る）といったアプリケーションフォーマット属性情報を、NFC用アプリ情報１７２は持つことも可能である。
【０１３５】
図１０は、図７の残量表示制御部１８３がグラフィック表示データを生成する際に使用する残量計算情報の具体例を示している。
【０１３６】
残量計算情報は、「FS残量計算情報」と「アプリフォーマット残量計算情報」とに大別される。
【０１３７】
「FS残量計算情報」とは、図７のＦＳ残量計算部１８１により算出されて残量表示制御部１８３に提供される情報をいう。より具体的には、一番右側の列の「結果表示情報」が、上述したように、ＦＳ残量計算部１８１により算出されて残量表示制御部１８３に最終的に提供される情報である。「NFCからの入力情報」が、上述した図８のNFC用FS情報１７１である。「セット側の情報」が、「結果表示情報」を算出または生成するために、セットとしてのNFC機能付映像記録再生装置１内部で作成または取得した情報である。
【０１３８】
具体的には例えば、NFC付記録メディア２の使用容量（使用％値）は、トータル容量（セクタ）に対する、ファイルシステムが把握するファイルとして使用済みのデータ量である使用量（セクタ）の比率をパーセントで計算することで算出可能である。ただし、実際の使用に際しては、ファイルはクラスタ単位で消耗してゆくことから、使用容量（使用％値）は、クラスタ単位で計算して、端数は切り上げて使用済みとして計算することで算出可能であり、かかる計算に利用できるように、「セット側の情報」として、「トータル容量（セクタ）」の「バイト数換算値」、および「使用量（セクタ）」の「記録クラスタ換算」が設けられている。なお、図１０でいう「使用量（セクタ）」とは、図８でいう「使用容量：セクタ値」に対応する。
【０１３９】
これらの「トータル容量（セクタ）」の「バイト数換算値」、および「使用量（セクタ）」の「記録クラスタ換算」は、「ストリーム記録クラスタサイズ」の「残量計算（記録単位）」とともに、上述した使用容量演算利用情報として、使用容量に基づく量（記録残時間や記録残枚数等）の演算に利用される「セット側の情報」として、アプリ残量計算部１８２にも提供される。
【０１４０】
また、「メディア記録対応スピード」と「セット設定モードでのファームウエアエンコードビットレート」とに基づいて、「結果表示情報」として、「動画ＨＤ対応」、「動画ＳＤ対応」、「静止画専用」等が生成される。
【０１４１】
具体的には例えば、「メディア記録対応スピード」とは、NFC機能付記録メディア２側におけるメディア書き込みの連続データ転送速度を意味し、本実施の形態では、CD(Compact Disc)の転送レートである150kByte/secを１倍速として換算した値で表現されている。
【０１４２】
また例えば、図１１にはNFC機能付映像記録再生装置１が映像音声データを記録するときの、対応するアプリケーションフォーマット記録方式の各モードで必要とされるデータ転送レートが図示されている。具体的には、Blu-Ray Discに記録されるMPEG-TS、DVDに記録されるのと同じ形式のMPEG-PS、PSPビデオ記録方式であるＨ．２６４／ＡＶＣ、それぞれ各種についての各記録モードでの必要データ転送レートが示されている。なお、メディア種別の最大残量時間例は、データ転送レート算出に使用された例である。この図１１の例の「データ転送レート」のうちの、所定のアプリケーションフォーマット記録方式の設定記録モードについての値が、「セット設定モードでのファームウエアエンコードビットレート情報」として利用されることになる。
【０１４３】
この場合、滑らかな動画記録には信号自体のデータ転送レートの1.5倍のメディア連続記録転送レートが必要とされるので、この「セット設定モードでのファームウエアエンコードビットレート情報」に基づく基準が制定される。そして、NFC機能付記録メディア２の「メディア記録対応スピード」が、その基準を超えている場合、NFC機能付記録メディア２で、そのアプリケーションフォーマット記録方式のその設定記録モードでの記録が可能であると判定される。これに対して、その基準に満たない場合、NFC機能付記録メディア２で、そのアプリケーションフォーマット記録方式のその設定記録モードでの記録が不可能であると判定される。
【０１４４】
そして、このような判定結果に基づいて、「動画ＨＤ対応」、「動画ＳＤ対応」、「静止画専用」等の「結果表示情報」が生成される。
【０１４５】
図１０に戻り、「メディア種別属性」や「FS記録種別属性」に基づく「記録方式対応判定」が、「セット側の情報」として利用され、これにより、「再生可否」が「結果表示情報」として生成される。
【０１４６】
「メディア種別属性」や「FS記録種別属性」に基づく「記録方式対応判定」とは、「メディア種別」や「ＦＳ記録方式」といった各属性情報が、セット（NFC機能付映像記録装置１）側の内部エンコーダ／デコーダ（図６の静止画圧縮伸張部１１５、動画SD Movie圧縮伸張部１１６、および動画HD Movie圧縮伸張部１１７）の記録再生データレートに対応するか否かを考慮した結果の判断情報をいう。なお、ここでいう記録再生データレートとして、上述した図１１の「データ転送レート」を採用することもできる。
【０１４７】
このような「FS残量計算情報」に対して、「アプリフォーマット残量計算情報」とは次のような情報をいう。
【０１４８】
即ち、「アプリフォーマット残量計算情報」とは、図７のアプリ残量計算部１８２により算出されて残量表示制御部１８３に提供される情報をいう。より具体的には、一番右側の列の「結果表示情報」が、アプリ残量計算部１８２により算出されて残量表示制御部１８３に最終的に提供される情報である。「NFCからの入力情報」が、上述した図９のNFC用アプリ情報１７２である。「セット側の情報」が、「結果表示情報」を算出または生成するために、セットとしてのNFC機能付映像記録再生装置１内部で作成または取得した情報である。
【０１４９】
具体的には、「ＨＤ記録アプリフォーマット種別」とは、NFC用アプリ情報１７２の「ＨＤ」の列の情報である。かかる情報と、対応する「セット側の情報」、即ち、セット（NFC機能付映像記録再生装置１）側で現在設定されている「選択設定モード情報ＨＤ／ＳＤ」、「選択設定モードＨＱ／ＳＰ／ＬＰ」等から決定されるデータ転送レート等の各種情報、および、上述した使用容量演算利用情報が用いられて、「結果表示情報」として、「ＨＤ」についての「記録残時間」が算出される。ただし、「記録残時間」の詳細については、後述する。
【０１５０】
「ＳＤ記録アプリフォーマット種別」とは、NFC用アプリ情報１７２の「ＳＤ」の列の情報である。かかる情報と、対応する「セット側の情報」、即ち、セット（NFC機能付映像記録再生装置１）側で現在設定されている「選択設定モード情報ＨＤ／ＳＤ」、「選択設定モード情報ＨＱ／ＳＰ／ＬＰ」等から決定されるデータ転送レート等の各種情報、および、上述した使用容量演算利用情報が用いられて、「結果表示情報」として、「ＳＤ」についての「記録残時間」が算出される。ただし、「記録残時間」の詳細については、後述する。
【０１５１】
即ち、「選択設定モード情報ＨＤ／ＳＤ」とは、「ＨＤ」、「ＳＤ」のアプリケーションフォーマット方式のうちの、現在の選択設定情報をいう。また、「選択設定モード情報ＨＱ／ＳＰ／ＬＰ」とは、「ＨＤ」，「ＳＤ」のそれぞれがもつ「ＸＰ」、「ＨＱ＋」、「ＨＱ」、「ＳＰ」、「ＬＰ」という映像圧縮率、即ち記録映像品質をあらわす画質モードのうちの、現在の選択設定情報をいう。従って、上述したように、かかる「選択設定モード情報ＨＤ／ＳＤ」、「選択設定モード情報ＨＱ／ＳＰ／ＬＰ」、および、映像の縦横比サイズである映像アスペクト比の選択設定から、圧縮映像音声データのそれぞれ相違する記録目標の平均あるいは最大平均の記録データ転送レートが特定される。そこで、この最大平均の記録データ転送レート等が用いられて、記録使用可能な残量時間数、即ち、「記録算時間」が算出される。
【０１５２】
「ＤＳＣ記録アプリフォーマット種別」とは、NFC用アプリ情報１７２の「ＤＳＣ」の列の情報である。かかる情報と、対応する「セット側の情報」、即ち、セット（NFC機能付映像記録再生装置１）側で現在設定されている「選択設定モード情報３Ｍ／2.1Ｍ／ＶＧＡ」についてのデータ転送レート等の各種情報、および、上述した使用容量演算利用情報が用いられて、「結果表示情報」として、「ＤＳＣ」についての「記録残枚数」が算出される。ただし、「記録残枚数」の詳細については、後述する。
【０１５３】
また、「最終記録ファイル日時」と「各アプリエントリ使用数」とに基づいて「各アプリフォーマットのセット仕様上限までのファイル発番可否管理」が生成され、これが「セット側の情報」として用いられて「各アプリ追記可否」が「結果表示情報」として生成される。
【０１５４】
また、「保護情報有無と属性情報」（ただし、図９の例では「保護情報」のみ図示されている）に基づいて「保護解除可否判断」がなされ、これが「セット側の情報」として用いられて「記録可否」が「結果表示情報」として生成される。
【０１５５】
ここで、「記録残時間」と「記録残枚数」の具体的な計算手法とその特徴について説明する。なお、以下、「記録残時間」と「記録残枚数」の計算を併せて、残量計算と適宜称する。また、NFC機能付映像記録再生装置１を引き続き、セットとも称する。
【０１５６】
以下、残量計算に用いる動画の平均ビットレートあるいは静止画の最大ファイルサイズは、セット内部のファームウエアの制御設定データによって決定され、残量計算に使用される、ということを実情で説明する。
【０１５７】
動画撮影の際の「記録残時間」の演算については、被写体が動き続けるという撮影条件が悪くエンコードのビットレートが高くなる場合にも無事に予測残量時間（即ち「記録算時間」の演算結果）期間中は撮影が続けられることが、撮影ユーザから期待される。動画撮影開始時に見込んだ撮影時間（即ち「記録残時間」の演算結果）よりも短時間で撮影残量がなくなると撮影ユーザは困ってしまうからである。この事情のため、概算平均ビットレートを最悪条件に近く想定して「記録残時間」を計算すると好適である。
【０１５８】
この場合、動画の「記録残時間」の演算の基準となる情報としては、セット内部の動画エンコーダ（図６の例では動画SD Movie圧縮伸張部１１６や動画HD Movie圧縮伸張部１１７）の動画撮影平均ビットレート上限値を用いることができる。
【０１５９】
動画撮影平均ビットレート上限値として、例えば、高画質が得られるので高性能機器で活用されているVBR記録では、レートのピーク値が10.08Mbpsであって、実際の動画エンコーダのエンコードレートの目標値は約8.6Mbps内外に設定しておくことができるので、この値を採用できる。しかしながら、動きの速い被写体を撮影したり、手持ちで流し撮り撮影をつづける機会の多いビデオカメラがNFC機能付映像記録再生装置１として採用された場合には、撮影画面被写体が動き続け、ビットレートは高くピーク値に貼りつく状況も発生しうることに注意を要する。
【０１６０】
例えば、MPEG2エンコードビットレート上限の最悪条件に近い設定がなされた平均ビットレートは9Mbpsである。ただし、DVDのアプリケーションフォーマットのMPEG2エンコードビットレート上限は、E-STDバッファモデル的制約を守る必要がある。また、オーディオなしの場合、MPEG2エンコードビットレート上限は、9.8Mbpsになるが、記録メディア２のECCアライメントを取りながらオーディオなしで記録すると約9.5Mbps程度に落ち、さらに5.1chオーディオ付のPSで記録すると約9.1Mbps程度に落とす必要がある。以上のことを考慮した上で、MPEG2についての動画撮影平均ビットレート上限値として採用するとよい。
【０１６１】
また、動画撮影平均ビットレート上限値として、図１１の「データ転送レート」の各値を採用することもできる。
【０１６２】
このようにして動画撮影平均ビットレート上限値を採用することで、図７のアプリ残量計算部１８２は、例えば、上述した使用容量演算利用情報、即ち、ＦＳ残量計算情報の「セット側の情報」の幾つかから、NFC機能付記録メディア２の残容量のビットレート換算値を算出し、このビットレート換算値を、現在設定されている「選択設定モード情報ＨＤ／ＳＤ」、「選択設定モード情報ＨＱ／ＳＰ／ＬＰ」等から特定される動画撮影平均ビットレート上限値で除算し、その余りをストリームの記録単位であるＦＡＴの場合の１クラスタ単位で切り上げることで、「ＨＤ」についての「記録残時間」を算出する。
【０１６３】
「ＳＤ」についての「結果表示情報」についても同様にして算出可能である。
【０１６４】
また、静止画撮影の際の「記録残枚数」の演算については、枚数減算が１枚ずつ減ってゆくのではなく、あるときには２枚、あるときには撮影したはずなのに減らない、という演算結果となる可能性がある。撮影ユーザにとって、静止画撮影をしても残り枚数が減らない（即ち「記録残枚数」の演算結果が変わらない）というのは問題なくても、撮影してみたら一度に残量枚数（即ち「記録残枚数」の演算結果）が複数枚一気に減るという症状が発生するのは困った問題になる。特に連写する際には途中で記録残量がなくなるのは問題になる。この問題を解決するためには、常に各画面サイズでのそのセット内部の静止画エンコーダの１枚あたりの最大画像ファイルサイズを元に「記録残枚数」を演算すると好適である。
【０１６５】
即ち、静止画は連写といっても高々数１０枚までであって、撮影終了ごとに「記録残枚数」を再計算し直すことができるので、ファイルサイズのばらつきは問題ないと思われる。しかしながら、例えば、被写体が平坦で画像の空間周波数が低い画面ではファイルサイズが極端に小さくなり、逆に被写体画像の空間周波数が高いときにはファイルサイズが大きくなる、という特性がある。このため静止画エンコードの際にはデータの上限値を設けて静止画圧縮する必要がある。
【０１６６】
そこで、静止画の「記録残枚数」の演算の基準となる情報としては、セット内部の静止画エンコーダ（図６の例では静止画圧縮伸張部１１５）の静止画撮影１枚あたりのデータ上限値（静止画撮影上限値と称する）を用いることができる。
【０１６７】
この場合、図７のアプリ残量計算部１８２は、例えば、上述した使用容量演算利用情報、即ち、ＦＳ残量計算情報の「セット側の情報」の幾つかから、NFC機能付記録メディア２の残容量の値を算出し、この値を、現在設定されている「選択設定モード情報３Ｍ／２．１Ｍ／ＶＧＡ」についての静止画撮影上限値で除算し、その整数値を、「ＤＳＣ」についての「記録残枚数」として算出する。
【０１６８】
さらに以下、NFC機能付記録メディア２のトータル容量が大きい場合の残量計算の手法について、図１２を参照して説明する。
【０１６９】
即ち、NFC機能付記録メディア２のトータル容量が数GBを超えない範囲であれば、残量計算は、クラスタ＋ファイルシステムへのファイル登録の消耗分で算出すればよい。
【０１７０】
これに対して、NFC機能付記録メディア２のトータル容量が数GBを超えて、使用容量がまだ少ない場合、即ち、残容量が大容量の場合、例えば静止画の「記録残枚数」が数千枚、数万枚に容易に到達してしまうことになるに従って、撮影の度に、クラスタ＋ファイルシステムへのファイル登録の消耗分にて「記録残枚数」を演算すると、無視し得ない時間がかかってしまう、という問題が発生する。
【０１７１】
そこで、かかる問題を解決するためには、図１２のステップＳＡ，ＳＢのように、「記録残枚数」の演算処理を２つのステップに分割すればよい。
【０１７２】
即ち、ステップＳＡとは、所定の数１００ビデオオブジェクト単位あるいは数１００枚単位の時間としての集合時間単位、または集合枚数単位に相当するセクタ集合で残容量を除算するステップである。これにより、クラスタ＋ファイルシステムへのファイル登録の消耗分の精密な「記録残枚数」や「記録残時間」の演算（以下、残量精密演算と称する）の対象範囲を減らすことができる。
【０１７３】
即ち、残量精密演算対象範囲としては、残容量のうちの、１つのセクタ集合と、ステップＳＡの除算結果の余り容量（図１２中ステップＳＡの矢印の先にある小さな四角の領域分）に対して、或いは、１つのセクタ集合に対して、残量精密演算を行えばよい。かかる処理が、ステップＳＢの処理として実行される。
【０１７４】
換言すると、ステップＳＡとは、「記録残枚数」や「記録残時間」の概算量を算出すステップであるといえる。そこで、ステップＳＡの概算結果から、ステップＳＢにおける残量精密演算対象範囲分を減算した後、ステップＳＢの精密演算結果を加算することで、精密な「記録残枚数」や「記録残時間」の算出が可能になる。
【０１７５】
次に、図１３乃至図１７を参照して、上述したNFC機能付映像記録再生装置１とNFC機能付記録メディア２との間で行われる近接通信を伴う処理の幾つかの例について説明する。
【０１７６】
上述したように、映像音声データが記録されているNFC機能付記録メディア２に対して記録や再生を行う前の確認作業として、ユーザが、NFC機能付記録メディア２をNFC機能付映像記録再生装置１に近接させることで（図１参照）、NFC機能付映像記録再生装置１は、NFC機能付記録メディア２からメディア基本使用情報を近接通信により読み出し、その使用容量や使用容量に基づく量を演算して、その演算結果（図２や図３参照）を表示パネル１２に表示させることができる。かかる一連の処理例が、図１３のフローチャートに示されている。
【０１７７】
ステップＳ１において、ユーザI/F制御部１１１（図６）は、NFC情報読み書き制御部３１（図６や図７等）に対して、NFC用状態情報読込み命令を発行する。
【０１７８】
ステップＳ２において、NFC情報読み書き制御部３１は、近接通信によるNFC機能付記録メディア２のNFC情報記憶部３３（図７等）への整合情報読込みとNFC読み取り状態情報取得を行う。ここに、NFC読み取り状態情報とは、ステップＳ２の処理時点でNFC情報記憶部３３に記憶されているNFC用FS情報１７１とNFC用アプリ情報１７２とをいう。
【０１７９】
ステップＳ３において、NFC情報読み書き制御部３１は、ユーザI/F制御部１１１に対して、NFC用状態情報読込み取得完了応答を行う。その際、NFC読み取り状態情報、即ち、NFC用FS情報１７１とNFC用アプリ情報１７２とも、NFC情報読み書き制御部３１からユーザI/F制御部１１１に転送される。
【０１８０】
ステップＳ４において、ユーザI/F制御部１１１は、映像記録再生制御部３２（図７）に対して、NFC用状態情報表示命令を発行する。その際、NFC読み取り状態情報、即ち、NFC用FS情報１７１とNFC用アプリ情報１７２とも、ユーザI/F制御部１１１から映像記録再生制御部３２に転送される。
【０１８１】
即ち、図７の例では、NFC情報読み書き制御部３１と映像記録再生制御部３２とは直接情報の授受を行っているように描画されているが、実際には、ユーザI/F制御部１１１を中継して情報が授受される。このことは、後述する図１４の例では反映されている。
【０１８２】
ステップＳ５において、映像記録再生制御部３２は、パネル表示制御部１８５（図７）に対して、表示パネル１２のNFC用状態情報表示画面モードへの切替え制御を行う。
【０１８３】
ステップＳ６において、映像記録再生制御部３２は、上述したグラフィック表示データ生成し、パネル表示制御部１８５に提供する。すると、ステップＳ７において、パネル表示制御部１８５は、そのグラフィック表示データに対応するNFC用状態情報画像を表示パネル１２に表示させる。即ち、NFC用状態情報画像とは、例えば図１０の「結果表示情報」を含む画像、より具体的には例えば、図２や図３の例のような画像をいう。
【０１８４】
このような図１３の例の処理の他、例えば、NFC機能付映像記録再生装置１の映像記録再生制御部３２が映像音声データをNFC機能付記録メディア２のメモリドライブ部３４に記録した後、NFC情報読み書き制御部３１は、NFC機能付記録メディア２のNFC情報記憶部３３内のNFC用FS情報１７１やNFC用アプリ情報１７２の内容を近接通信により更新する。かかる一連の処理を実行するための各機能を示す機能ブロック図が、図１４に示されており、かかる一連の処理例を説明するフローチャートが図１５に示されている。
【０１８５】
なお、図１４の機能ブロック図の各機能ブロックは、図１５のフローチャートの処理だけではなく、図１６や図１７のフローチャートの処理も実行する。このため、映像記録再生制御部３２に設けられている各機能ブロックの各機能については、即ち、映像記録API２０１乃至認識管理API２０５の各機能については、図１５乃至図１７の各処理の説明を行っていくことで明らかになると思われるため、ここではその説明は省略する。
【０１８６】
図１５の例では、NFC機能付映像記録再生装置１が映像音声データをNFC機能付記録メディア２のメモリドライブ部３４に対して記録中に、操作装置１０１等からRec Stop命令（映像音声データ記録停止命令）が発行された場合に、次のステップＳ１１以降の処理が実行される。
【０１８７】
ステップＳ１１において、ユーザI/F制御部１１１は、Rec Stop命令を映像記録API２０１に提供する。ステップＳ１２において、映像記録API２０１は、App Format部２０２に対する映像記録停止処理を実行する。ステップＳ１３において、App Format部２０２は、File System部２０３に対する映像ファイルクローズ処理を実行する。なお、App Formatとは、アプリケーションフォーマットの略語である。
【０１８８】
ステップＳ１４において、File System部２０３は、NFC機能付記録メディア２のメモリドライブ部３４に対して、メディア書込み処理を実行する。ここでいうメディア書込み処理とは、Rec Stop命令時点でまだメモリドライブ部３４に記録されていなかった映像音声データ（ファイルボディデータ）をメモリドライブ部３４に記録させ、メモリドライブ部３４のファイルシステムを更新するまでの一連の処理をいう。
【０１８９】
ステップＳ１５において、File System部２０３は、FS終了処理完了をApp Format部２０２に通知する。ステップＳ１６において、App Format部２０２は、APP終了処理完了を映像記録API２０１に通知する。ステップＳ１７において、映像記録API２０１は、映像ファイル記録完了応答をユーザI/F制御部１１１に通知する。
【０１９０】
また、ステップＳ１８において、App Format部２０２やFile System部２０３は、記録エントリ情報更新とコンテンツ再生IDX情報更新を行う。
【０１９１】
ステップＳ１７の処理で映像ファイル記録完了応答を受けたユーザI/F制御部１１１は、ステップＳ１９において、メディア状態情報取得命令をQUERY情報取得API２０４に対して発行する。
【０１９２】
ステップＳ２０において、QUERY情報取得API２０４は、File System部２０３に対するメディアのFS状態情報取得処理を実行する。また、ステップ２１において、QUERY情報取得API２０４は、App Format部２０２に対するApp Format状態情報取得処理を実行する。
【０１９３】
その際、ステップＳ２２において、App Format部２０２やFile System部２０３は、記録エントリ状態情報更新とコンテンツ再生IDX状態情報更新を行う。
【０１９４】
即ち、ステップＳ２０とＳ２１との処理で取得された情報が、メディア状態情報であり、NFC情報記憶部３３に記憶されているNFC用FS情報１７１とNFC用アプリ情報１７２の更新内容となるNFC用メディア状態情報を生成するために利用される。そこで、ステップＳ２３において、QUERY情報取得API２０４は、かかるメディア状態情報をユーザI/F制御部１１１に転送するとともに、メディア状態情報取得完了応答を通知する。
【０１９５】
ステップＳ２４において、ユーザI/F制御部１１１は、NFC情報読み書き制御部３１に対して、NFC用状態情報書出し命令を発行する。その際、メディア状態情報も併せて、ユーザI/F制御部１１１からNFC情報読み書き制御部３１に転送される。
【０１９６】
ステップＳ２５において、NFC情報読み書き制御部３１は、メディア状態情報に基づくNFC用状態情報生成と、近接通信によるNFC情報記憶部３３への書出しを行う。即ち、このNFC用状態情報が、図７のNFC用FS情報１７１とNFC用アプリ情報１７２の更新情報である。
【０１９７】
ステップＳ２６において、NFC情報読み書き制御部３１は、ユーザI/F制御部１１１に対して、NFC用状態情報書出し完了応答を行う。
【０１９８】
このような図１３の例の動画撮影終了時以外の場合、例えばNFC機能付記録メディア２がNFC機能付映像記録再生装置１に装着された際にNFC情報記憶部３３と実際のメモリドライブ部３４の使用状態に不整合があった場合への対応として、NFC機能付映像記録再生装置１は、その不整合確認をして不整合ならば整合を取り直すために、NFC情報記憶部３３の内容を書き換え更新することができる。かかる一連の処理例を説明するフローチャートが図１６に示されている。
【０１９９】
なお、図１３以降でいうユーザI/F制御部１１１とは、図６でいう User I/F制御部１１１を意味する。
【０２００】
ステップＳ４１において、ユーザI/F制御部１１１は、マウント認識命令を認識管理API２０５に提供する。
【０２０１】
ステップＳ４２において、認識管理API２０５は、File System部２０３に対するFile System認識処理を実行する。すると、ステップＳ４３において、File System部２０３は、NFC機能付記録メディア２に対するメディア管理情報読み込み処理を実行する。その際、NFC機能付記録メディア２のメディア管理情報のボリューム情報が、File System部２０３から認識管理API２０５に転送される。
【０２０２】
また、ステップＳ４４において、認識管理API２０５は、App Format部２０２に対するApp Format認識処理を実行する。すると、ステップＳ４５において、App Format部２０２は、記録エントリ情報更新とコンテンツ再生IDX情報更新を行う。即ち、App Format部２０２は、File System部２０３に問い合わせた後、INFO管理ファイルの情報を取得し、図示せぬ記録エントリ管理部の情報更新設定し、図示せぬコンテンツ再生インデックス管理部の情報更新設定し、アプリケーションフォーマット状態情報を認識管理API２０５に返す。すると、ステップＳ４６において、認識管理API２０５は、マウント認識完了応答をユーザI/F制御部１１１に通知する。
【０２０３】
ステップＳ４７において、ユーザI/F制御部１１１は、メディア状態情報取得命令をQUERY情報取得API２０４に対して発行する。
【０２０４】
ステップＳ４８において、QUERY情報取得API２０４は、File System部２０３に対するメディアのFS状態情報取得処理を実行する。また、ステップ４９において、QUERY情報取得API２０４は、App Format部２０２に対するApp Format状態情報取得処理を実行する。
【０２０５】
その際、ステップＳ５０において、App Format部２０２やFile System部２０３は、記録エントリ状態情報取得とコンテンツ再生IDX状態情報取得を行い、これらもQUERY情報取得API２０４に提供する。
【０２０６】
このようにして、ステップＳ４８乃至Ｓ５０の処理でメディア状態情報等を取得すると、ステップＳ５１において、QUERY情報取得API２０４は、かかるメディア状態情報等をユーザI/F制御部１１１に転送するとともに、メディア状態情報取得完了応答を通知する。
【０２０７】
ステップＳ５２において、ユーザI/F制御部１１１は、NFC情報読み書き制御部３１に対して、NFC用状態情報読込み命令を発行する。
【０２０８】
ステップＳ５３において、NFC情報読み書き制御部３１は、近接通信によるNFC機能付記録メディア２のNFC情報記憶部３３への整合情報読込みとNFC読み取り状態情報取得を行う。
【０２０９】
ステップＳ５４において、NFC情報読み書き制御部３１は、ユーザI/F制御部１１１に対して、NFC用状態情報読込み取得完了応答を行う。その際、NFC読み取り状態情報と整合情報とも、NFC情報読み書き制御部３１からユーザI/F制御部１１１に転送される。
【０２１０】
ステップＳ５５において、ユーザI/F制御部１１１は、ステップＳ５１の処理で取得した情報と、ステップＳ５４の処理で取得した情報の整合性の判断処理、即ち、NFC用状態情報の整合不整合判断処理を実行する。
【０２１１】
かかるステップＳ５５の処理結果が、整合であるという判断の場合、図１６の一連の処理は終了し、マウントも完了する。
【０２１２】
これに対して、かかるステップＳ５５の処理結果が、不整合であるという判断の場合、即ち、不一致判断の場合、ステップＳ６１において、ユーザI/F制御部１１１は、NFC情報読み書き制御部３１に対して、NFC用状態整合情報更新書出し命令を発行する。
【０２１３】
ステップＳ６２において、NFC情報読み書き制御部３１は、NFC用状態整合情報生成と、近接通信によるNFC情報記憶部３３への書出しを行う。
【０２１４】
ステップＳ６３において、NFC情報読み書き制御部３１は、ユーザI/F制御部１１１に対して、NFC用状態整合情報更新書出し取得完了応答を行う。
【０２１５】
これにより、図１６の処理は終了となる。
【０２１６】
また、NFC機能付記録メディア２のメモリドライブ部３４のフォーマット初期化時には、NFC情報記憶部３３の内容も同時に初期化する必要がある。かかる初期化の処理もNFC機能付映像記録再生装置１は実行できる。かかる一連の処理例を説明するフローチャートが図１７に示されている。
【０２１７】
ステップＳ８１において、ユーザI/F制御部１１１は、アプリフォーマットの初期化命令を認識管理API２０５に提供する。
【０２１８】
ステップＳ８２において、認識管理API２０５は、App Format部２０２に対するApp Format非認識（アマウント）処理を実行する。App Format部２０２は、対応する処理をFile System部２０３等と行い、その処理成功を認識管理API２０５に応答する。
【０２１９】
すると、ステップＳ８３において、認識管理API２０５は、File System部２０３に対するFile System非認識（アマウント）処理を実行する。File System部２０３は、対応する処理を行い、その処理成功を認識管理API２０５に応答する。
【０２２０】
ステップＳ８４において、認識管理API２０５は、File System部２０３に対するFile System初期化処理を実行する。File System部２０３は、対応する処理をNFC機能付記録メディア２に対して行い、その処理成功を認識管理API２０５に応答する。
【０２２１】
ステップＳ８５において、認識管理API２０５は、App Format部２０２に対するApp Format初期化処理を実行する。App Format部２０２は、対応する処理をFile System部２０３等と、NFC機能付記録メディア２に対して行い、その処理成功を認識管理API２０５に応答する。
【０２２２】
また、ステップＳ８６において、App Format部２０２やFile System部２０３は、コンテンツ再生IDX情報初期化と記録エントリ情報初期化とを行う。
【０２２３】
以上のステップＳ８２乃至Ｓ８６の処理の終了を認識すると、ステップＳ８７において、認識管理API２０５は、フォーマットの初期化完了応答をユーザI/F制御部１１１に通知する。
【０２２４】
ステップＳ８８において、ユーザI/F制御部１１１は、メディア状態情報取得命令をQUERY情報取得API２０４に対して発行する。
【０２２５】
ステップＳ８９において、QUERY情報取得API２０４は、File System部２０３に対するメディアのFS状態情報取得処理を実行する。また、ステップ９０において、QUERY情報取得API２０４は、App Format部２０２に対するApp Format状態情報取得処理を実行する。
【０２２６】
その際、ステップＳ９１において、App Format部２０２やFile System部２０３は、記録エントリ状態情報取得とコンテンツ再生IDX状態情報取得を行い、これらもQUERY情報取得API２０４に提供する。
【０２２７】
このようにして、ステップＳ８９乃至Ｓ９１の処理でメディア状態情報等が取得される。ここで、取得された情報には、使用ファイルシステム、使用アプリケーションフォーマットが決定された状態でのフォーマット処理結果の初期値が得られている。そこで、ステップＳ９２において、QUERY情報取得API２０４は、かかるメディア状態情報等をユーザI/F制御部１１１に転送するとともに、メディア状態情報取得完了応答を通知する。
【０２２８】
ステップＳ９３において、ユーザI/F制御部１１１は、NFC情報読み書き制御部３１に対して、NFC用初期化状態情報更新書出し命令を発行する。
【０２２９】
ステップＳ９４において、NFC情報読み書き制御部３１は、NFC用初期化状態情報生成と、近接通信によるNFC情報記憶部３３への書出しを行う。
【０２３０】
ステップＳ９５において、NFC情報読み書き制御部３１は、ユーザI/F制御部１１１に対して、NFC用初期化状態情報更新書出し取得完了応答を行う。
【０２３１】
その後、この書出しに成功したか否かの確認のため、ステップＳ９６乃至Ｓ９９の処理が実行される。ただし、ステップＳ９６乃至Ｓ９９のそれぞれの処理は、上述した図１６のステップＳ５２乃至Ｓ５５の処理と基本的に同様の処理であるため、ここではその説明は省略する。なお、ステップＳ９９の処理結果が、不整合であるという判断の場合、即ち、不一致判断の場合、図１７には図示していないが、図１６のステップＳ６１乃至Ｓ６３と同様の処理が実行されることになる。
【０２３２】
以上、図１３乃至図１７を参照して、上述したNFC機能付映像記録再生装置１とNFC機能付記録メディア２との間で行われる近接通信を伴う処理の幾つかの例について説明した。
【０２３３】
図１８は、NFC機能付記録メディア２における、アプリケーションフォーマットの各種ファイル構成形式の例を説明する図である。
【０２３４】
各フォルダ内に、上述した各種アプリケーションフォーマットの何れが書き込まれているのかについては、上述した近接通信による基本情報の読取りで判別されるが、基本的にはルートディレクトリからアクセスされることになる。
【０２３５】
図１８の例では、「root」がルートディレクトリである。そして、そのルートディレクトリの下には、アプリケーションフォーマット固有の固定名称で認識される動画ディレクトリ（フォルダ）があり、図１８の例では、「固定名称動画フォルダ」とされている。また、アプリケーションフォーマット固有の固定名称で認識される静止画ディレクトリがあり、図１８の例では、「固定名称静止画フォルダ」とされている。
【０２３６】
図１８の例では、「固定名称動画フォルダ」の下には、「管理情報ファイル」、「動画データファイル」、「ＭＰＥＧ静止画など」のデータファイル、「アフレコオーディオ」用データファイル、「管理情報ファイル」のバックアップファイルである「管理情報バックアップ」等が設けられている。
【０２３７】
従って、NFC機能付映像記録再生装置１は、「固定名称動画フォルダ」を見つけてそこから管理ファイルにアクセスし、その「固定名称動画フォルダ」内の「管理情報ファイル」に含まれる再生コンテンツリスト情報データ等から「動画データファイル」にアクセスして再生する、といった処理を実行することが可能になる。
【０２３８】
また、図１８の例では、「固定名称静止画フォルダ」の下には、「JPEG静止画」等のファイルが設けられている。
【０２３９】
以上、本発明が適用される情報処理システムとして、図１の映像記録再生システムについて説明してきたが、本発明は、図１の例に限定されず、様々な実施の形態を取ることができる。
【０２４０】
具体的には例えば、図１９に示されるようなシステム、即ち、いわゆるゲームのアプリケーションフォーマットも利用可能なNFC機能付装置３０１と、NFC機能付記録メディア２１とからなるシステムもまた、本発明が適用される情報処理システムの一実施の形態である。
【０２４１】
このNFC機能付装置３０１も、NFC機能付記録メディア２のアンテナ２１が自身のNFC情報読取り用のアンテナ３０２に近づけられたとき、NFC機能付記録メディア２に書き込まれたメディア基本使用情報を読み取る。そして、NFC機能付装置３０１は、このメディア基本使用情報と、自身ファームウエアの機能やモード設定とに基づき、NFC機能付記録メディア２の使用容量自身またはその使用容量に基づく量を演算し、その演算結果を表示パネル３０３に表示させることができる。
【０２４２】
その際、例えば、いわゆるゲームのセーブデータを記憶する用途でNFC機能付記録メディア２が利用されている場合には、所定のアプリケーションフォーマットに対応する所定のゲームのセーブデータの記憶可能な残個数を、使用容量に基づく量として採用することもできる。
【０２４３】
その他、図１等のNFC機能付映像記録再生装置１や、図１９のNFC機能付装置３０１の代わりに、図示せぬPDA(Personal Digital Assistant)、後述する図２０のPC（Personal Computer）、携帯電話、腕時計、ペン等のNFC機能を付けることができる装置を採用することも可能である。
【０２４４】
ところで、上述した一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【０２４５】
図２０は、上述した一連の処理をプログラムにより実行するパーソナルコンピュータの構成の例を示すブロック図である。即ち、上述したように、図２０は、本発明が適用される情報処理装置であって、図１等のNFC機能付映像記録再生装置１や、図１９のNFC機能付装置３０１とは異なる例を示している。
【０２４６】
図２０において、CPU（Central Processing Unit）４０１は、ROM（Read Only Memory）４０２、または記憶部４０８に記憶されているプログラムに従って各種の処理を実行する。RAM（Random Access Memory）４０３には、CPU４０１が実行するプログラムやデータなどが適宜記憶される。これらのCPU４０１、ROM４０２、およびRAM４０３は、バス４０４により相互に接続されている。
【０２４７】
CPU４０１にはまた、バス４０４を介して入出力インタフェース４０５が接続されている。入出力インタフェース４０５には、キーボード、マウス、マイクロホンなどよりなる入力部４０６、ディスプレイ、スピーカなどよりなる出力部４０７が接続されている。CPU４０１は、入力部４０６から入力される指令に対応して各種の処理を実行する。そして、CPU４０１は、処理の結果を出力部４０７に出力する。
【０２４８】
入出力インタフェース４０５に接続されている記憶部４０８は、例えばハードディスクからなり、CPU４０１が実行するプログラムや各種のデータを記憶する。通信部４０９は、インターネットやローカルエリアネットワークなどのネットワークを介して外部の装置と通信する。
【０２４９】
また、通信部４０９を介してプログラムを取得し、記憶部４０８に記憶してもよい。
【０２５０】
入出力インタフェース４０５に接続されているNFC情報読み書き制御部４１０は、図６のNFC情報読み書き制御部３１と同様の機能と構成を有している。即ち、NFC情報読み書き制御部４１０は、NFC機能付記録メディア２に対して近接通信により情報の読み書きができる。
【０２５１】
入出力インタフェース４０５に接続されているドライブ４１１は、磁気ディスク、光ディスク、光磁気ディスク、或いは半導体メモリなどのリムーバブルメディア４１１が装着されたとき、それらを駆動し、そこに記録されているプログラムやデータなどを取得する。取得されたプログラムやデータは、必要に応じて記憶部４０８に転送され、記憶される。
【０２５２】
また、ドライブ４１１は、NFC機能付記録メディア２が装着されたとき、それらを駆動し、そこに記録されているプログラムやデータなどを取得する。取得されたプログラムやデータは、必要に応じて記憶部４０８に転送され、記憶される。
【０２５３】
コンピュータにインストールされ、コンピュータによって実行可能な状態とされるプログラムを格納するプログラム記録媒体は、図２０に示されるように、磁気ディスク（フレキシブルディスクを含む）、光ディスク（CD-ROM(Compact Disc-Read Only Memory),DVD(Digital Versatile Disc)を含む）、光磁気ディスク、もしくは半導体メモリなどよりなるパッケージメディアであるリムーバブルメディア４１２、NFC機能付記録メディア２、または、プログラムが一時的もしくは永続的に格納されるROM４０２や、記憶部４０８を構成するハードディスクなどにより構成される。プログラム記録媒体へのプログラムの格納は、必要に応じてルータ、モデムなどのインタフェースである通信部４０９を介して、ローカルエリアネットワーク、インターネット、デジタル衛星放送といった、有線または無線の通信媒体を利用して行われる。
【０２５４】
なお、本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０２５５】
また、本明細書において、システムとは、複数の装置または回路により構成される装置または回路全体を表すものである。
【図面の簡単な説明】
【０２５６】
【図１】本発明が適用される映像記録再生システムの一実施の形態を示す外観図である。
【図２】図１のNFC機能付記録メディアの使用容量自身またはその使用容量に基づく量を、図１のNFC機能付映像記録再生装置の表示パネルに表示させた例を示す図である。
【図３】図１のNFC機能付記録メディアの使用容量自身またはその使用容量に基づく量を、図１のNFC機能付映像記録再生装置の表示パネルに表示させた例を示す図である。
【図４】図１の映像記録再生システムの各装置の内部の構成例の概略を示すブロック図である。
【図５】図４のNFC機能付記録メディアの内部の詳細な構成例を示すブロック図である。
【図６】図４のNFC機能付映像記録再生装置１の内部の詳細な構成例を示すブロック図である。
【図７】図１の映像記録再生システムの各装置の機能的構成例を示す機能ブロック図である。
【図８】図７のNFC用FS情報の具体例を示す図である。
【図９】図７のNFC用アプリ情報の具体例を示す図である。
【図１０】図１のNFC機能付記録メディアの使用容量自身またはその使用容量に基づく量等の各種情報を演算するために利用する情報の具体例を示す図である。
【図１１】図１のNFC機能付記録メディアの使用容量自身またはその使用容量に基づく量等の各種情報を演算するために利用する情報の具体例を示す図である。
【図１２】図１のNFC機能付記録メディアの使用容量に基づく量の演算手法の一例を説明する図である。
【図１３】図７の各機能ブロックが実行する処理の関係例を説明するフローチャートである。
【図１４】図１の映像記録再生システムの各装置の機能的構成の別の例を示す機能ブロック図である。
【図１５】図１４の各機能ブロックが実行する処理の関係例を説明するフローチャートである。
【図１６】図１４の各機能ブロックが実行する処理の関係例を説明するフローチャートである。
【図１７】図１４の各機能ブロックが実行する処理の関係例を説明するフローチャートである。
【図１８】図１のNFC機能付記録メディアにおける、アプリケーションフォーマットの各種ファイル構成形式の例を説明する図である。
【図１９】本発明が適用される映像記録再生システムの図１とは異なる実施の形態を示す外観図である。
【図２０】本発明が適用される情報処理装置としてのパーソナルコンピュータの構成例を示すブロック図である。
【符号の説明】
【０２５７】
１  NFC機能付映像記録再生装置，  ２  NFC機能付記録メディア，  １１  アンテナ，  ２１  アンテナ，  ４１  NFC R/Wシステム，  ４２  User I/F部，  ４３  映像データR/W部，  ４４  NFCシステム，  ４５  Cash，  ４６  NVRAM，  １８１  FS残量計算部，  １８２  アプリ残量計算部，  １８３  残量表示制御部，  １８４  NFC用情報生成／取得部，  １８５  パネル表示制御部，  ３０１  NFC機能付装置，  ４０１  CPU，  ４０２  ROM，  ４０８  記憶部，  ４１０  NFC情報読み書き制御部，  ４１２  リムーバブルメディア
【図１】
2008052768.tif 000003
【図２】
2008052768.tif 000004
【図３】
2008052768.tif 000005
【図４】
2008052768.tif 000006
【図５】
2008052768.tif 000007
【図６】
2008052768.tif 000008
【図７】
2008052768.tif 000009
【図８】
2008052768.tif 000010
【図９】
2008052768.tif 000011
【図１０】
2008052768.tif 000012
【図１１】
2008052768.tif 000013
【図１２】
2008052768.tif 000014
【図１３】
2008052768.tif 000015
【図１４】
2008052768.tif 000016
【図１５】
2008052768.tif 000017
【図１６】
2008052768.tif 000018
【図１７】
2008052768.tif 000019
【図１８】
2008052768.tif 000020
【図１９】
2008052768.tif 000021
【図２０】
2008052768.tif 000022